(57)【要約】【課題】従来技術では、商品等の購入の有無、購入した商品等の履歴情報に基づいて、ユーザの嗜好に合致したコンテンツを出力できなかった。【解決手段】商品またはサービスの購入画面の表示に対する入力を受け付ける入力受付部と、入力に基づく情報を送信する情報送信部と、受信した２以上のコンテンツの中から、入力に基づいてコンテンツを選択するコンテンツ選択部と、コンテンツ選択部が選択したコンテンツを出力するコンテンツ出力部を具備するコンテンツ出力装置であり、かかるコンテンツ出力装置により、商品等の購入の有無、購入した商品等の履歴情報に基づいて、ユーザの嗜好に合致したコンテンツを出力するコンテンツ出力装置により、視聴者は知らず知らずのうちに自分の感性に合致したストーリーのコンテンツを視聴できる。また、商品等の販売者は、効率的に商品等を販売できる。【選択図】　図１
2004070700.tif 000002
【特許請求の範囲】
【請求項１】
２以上のコンテンツを受信するコンテンツ受信部と、
商品またはサービスの購入を行うための画面を表示する購入画面表示部と、
前記画面の表示に対する入力を受け付ける入力受付部と、
前記入力に基づく情報を送信する情報送信部と、
前記コンテンツ受信部が受信したコンテンツの中から、前記入力に基づいてコンテンツを選択するコンテンツ選択部と、
前記コンテンツ選択部が選択したコンテンツを出力するコンテンツ出力部を
具備するコンテンツ出力装置。
【請求項２】
２以上のコンテンツを保持するコンテンツ保持部と、
商品またはサービスの購入を行うための画面を表示する購入画面表示部と、
前記画面の表示に対する入力を受け付ける入力受付部と、
前記入力に基づく情報を送信する情報送信部と、
前記入力に基づいて前記コンテンツ保持部からコンテンツを選択するコンテンツ選択部と、
前記コンテンツ選択部が選択したコンテンツを出力するコンテンツ出力部を
具備するコンテンツ出力装置。
【請求項３】
前記入力受付部が受け付けた２以上の入力を蓄積し、
前記コンテンツ選択部は、前記２以上の入力に基づいてコンテンツを選択する請求項１または請求項２いずれか記載のコンテンツ出力装置。
【請求項４】
前記入力受付部が受け付けた入力により商品またはサービスの購入を行う場合に、前記コンテンツ選択部は当該商品またはサービスに関連するコンテンツを選択する請求項１から請求項３いずれか記載のコンテンツ出力装置。
【請求項５】
購入画面情報またはコンテンツを取得するコンテンツ取得部と、
前記購入画面情報から購入画面を表示する購入画面表示部と、
前記購入画面の表示に対する入力を受け付ける入力受付部と、
前記入力に基づく情報を送信する情報送信部と、
前記コンテンツ取得部が取得したコンテンツを出力するコンテンツ出力部を具備するコンテンツ出力装置であって、
前記コンテンツ取得部は、前記入力に基づいてコンテンツ取得部が外部の装置からコンテンツを検索するコンテンツ出力装置。
【請求項６】
前記入力受付部が商品またはサービスを購入するとの入力を受け付けた場合に、前記コンテンツ取得部は、前記購入画面情報が有するコンテンツを特定するコンテンツ特定情報により、外部の装置からコンテンツを検索する請求項５記載のコンテンツ出力装置。
【請求項７】
商品等の購入画面とコンテンツが出力されるコンテンツ出力装置であって、商品等の購入の情報に基づいて、出力されるコンテンツが異なるコンテンツ出力装置。
【請求項８】
コンピュータに、
商品またはサービスの購入を行うための画面を表示する購入画面表示ステップと、
前記画面の表示に対応する入力を受け付ける入力受付ステップと、
前記入力に基づく情報を送信する情報送信ステップと、
前記入力に基づいて、複数のコンテンツから一のコンテンツを選択するコンテンツ選択ステップと、
コンテンツ選択ステップで選択したコンテンツを出力するコンテンツ出力ステップを実行させるためのプログラム。
【請求項９】
コンピュータに、
請求項８における購入画面表示ステップ、入力受付ステップ、コンテンツ選択ステップ、コンテンツ出力ステップを複数回繰り返し実行させるプログラム。
【発明の詳細な説明】
【０００１】
【発明の属する技術分野】
本発明は、コンテンツを出力するコンテンツ出力装置等に関するものである。
【０００２】
【従来の技術】
従来、商品等を販売するための販売促進のショッピング番組が放送されていた。ショッピング番組は、俳優等が商品の購買意欲を注ぐように商品を紹介し、電話等で商品の購入注文を受け付ける番組である。また、インターネットを利用した電子商取引は、盛んに行われている。さらに、ユーザからの入力に基づいて、出力されるコンテンツが変化するコンテンツ出力装置は存在した。
【０００３】
【発明が解決しようとする課題】
しかしながら、上記の従来技術では、商品等の購入の有無、購入した商品等の履歴情報に基づいて、ユーザの嗜好に合致したコンテンツを出力できない。
【０００４】
【課題を解決するための手段】
以上の課題を解決するために、本発明は、２以上のコンテンツを受信するコンテンツ受信部と、商品またはサービスの購入を行うための画面を表示する購入画面表示部と、画面の表示に対する入力を受け付ける入力受付部と、入力に基づく情報を送信する情報送信部と、コンテンツ受信部が受信したコンテンツの中から、入力に基づいてコンテンツを選択するコンテンツ選択部と、コンテンツ選択部が選択したコンテンツを出力するコンテンツ出力部を具備するコンテンツ出力装置であり、かかるコンテンツ出力装置により、商品等の購入の有無、購入した商品等の履歴情報に基づいて、ユーザの嗜好に合致したコンテンツを出力するコンテンツ出力装置により、視聴者（ユーザ）は知らず知らずのうちに自分の感性に合致したストーリーのコンテンツを視聴できる。また、商品等の販売者は、効率的に商品等を販売できる。
【０００５】
【発明の実施の形態】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【０００６】
（実施の形態１）
図１は、本実施の形態に係る送受信システムのブロック図である。送受信システムは、送信装置１１、コンテンツ出力装置１２を有する。送信装置１１は、コンテンツ格納部１１０１、コンテンツ送信部１１０２を有する。コンテンツ出力装置１２は、コンテンツ受信部１２０１、コンテンツ保持部１２０２、購入画面表示部１２０３、入力受付部１２０４、情報送信部１２０５、コンテンツ選択部１２０６、コンテンツ出力部１２０７を有する。
【０００７】
コンテンツ格納部１１０１は、コンテンツを格納している。コンテンツとは、通常、動画と音声を有するストリームコンテンツである。また、商品購入の画面を構成する情報も含む。コンテンツのデータ構造の例は、以下に述べる。なお、コンテンツのデータ構造は問わない。さらに、コンテンツは、音楽データや静止画等でも良く、そのデータタイプも問わない。コンテンツ格納部１１０１は、通常、不揮発性の記録媒体であるが、揮発性の記録媒体でも良い。
【０００８】
コンテンツ送信部１１０２は、コンテンツを送信する。コンテンツ送信部１１０２は、通常、放送手段であるが、通信手段でも実現可能である。また、放送手段とは、地上波デジタルによる放送手段、衛星を利用した放送手段、ＣＡＴＶの放送手段、アナログ放送の放送手段等がある。
【０００９】
コンテンツ受信部１２０１は、コンテンツを受信する。コンテンツ受信部１２０１は、放送を受信する手段（チューナーとそおドライバーソフト等）または、無線または有線の通信手段である。
【００１０】
コンテンツ保持部１２０２は、コンテンツ受信部１２０１が受信したコンテンツを一時格納する。コンテンツ保持部１２０２は、通常、揮発性の記録媒体である。
【００１１】
購入画面表示部１２０３は、コンテンツ保持部１２０２のコンテンツが有する画面情報を取り出して、画面情報から商品または／およびサービス（以下、適宜、商品等という。）の購入を行うための画面を構成して、表示する。購入画面表示部１２０３は、通常、ソフトウェアから構成されるが、ハードウェア（専用回路）で構成されても良い。なお、購入画面表示部１２０３は、ディスプレイを含んでも、ディスプレイを含まなくても良い。ディスプレイを含まない場合は、購入画面表示部１２０３は、外付けのディスプレイに画面を出力する。なお、画面情報は、通常、コンテンツ受信部１２０１が受信するコンテンツに含まれているが、他の手段により取得しても良い。コンテンツ受信部１２０１が受信するコンテンツには、画面情報とのリンク情報のみ存在しても良い。従って、画面情報は、コンテンツ受信部１２０１の構成に関わらず、放送受信しても、記録媒体にあっても、通信で取得しても良い。
【００１２】
入力受付部１２０４は、画面の表示に対する入力を受け付ける。入力手段は、リモコン、マウス、キーボード等を問わない。入力とは、購入画面表示部１２０３が表示した商品等の購入を行うための画面を見て行うユーザの入力である。入力される情報は、商品等の購入の意思決定の情報や、商品等を識別する商品識別子や、商品等の数量を示す情報などの商品購入情報がある。入力受付部１２０４は、入力手段のドライバーソフト等から構成される。
【００１３】
情報送信部１２０５は、入力に基づく情報を送信する。情報とは、商品購入情報などであり、ユーザやコンテンツ出力装置を識別するユーザ識別子なども含む場合もある。情報送信部１２０５は、通常、無線または有線の通信手段が好適であるが、放送手段でも構わない。
【００１４】
コンテンツ選択部１２０６は、入力に基づいてコンテンツ保持部１２０２からコンテンツを選択する。コンテンツ選択部１２０６は、通常、ユーザが入力したある商品等を「購入した／購入しない」という情報により情報を検索する。但し、購入した商品等の値段やブランド名などに基づいて情報検索しても良い。この選択により、ユーザの商品等の購入という動作を通して、ユーザの嗜好を取得し、その嗜好により、ユーザに合致したコンテンツを出力できる。
コンテンツ選択部１２０６は、通常、ソフトウェアから構成されるが、ハードウェア（専用回路）で構成されても良い。
【００１５】
コンテンツ出力部１２０７は、コンテンツ選択部１２０６が選択したコンテンツを出力する。出力は、通常、ディスプレイへの表示とスピーカーへの音声出力であるが、他の態様の出力でも良い。他の態様の出力とは、プリンタへの印刷、外部の装置への送信などがある。コンテンツ出力部１２０７は、出力デバイス（ディスプレイ等）を含んでも含まなくても良い。コンテンツ出力部１２０７は、出力デバイスのドライバーソフト等から構成される。
【００１６】
以下、送受信システムの動作について説明する。まず、送信装置１１の動作について説明する。コンテンツ送信部１１０２は、コンテンツ格納部１１０１に格納されているコンテンツを取得し、当該コンテンツを送信する。なお、コンテンツを送信するタイミングは、予め決められていても良いし、ユーザ（コンテンツ出力装置）からのトリガーにより送信等しても良い。つまり、送信装置１１がコンテンツを送信するタイミングは問わない。
【００１７】
次に、コンテンツ出力装置１２の動作について図２のフローチャートを用いて説明する。
（ステップＳ２０１）コンテンツ受信部１２０１は、コンテンツストリームを受信したか否かを判断する。ストリームを受信すればステップＳ２０２に行き、ストリームを受信しなければステップＳ２０１に戻る。
【００１８】
（ステップＳ２０２）コンテンツ保持部１２０２は、ステップＳ２０１で受信したコンテンツストリームを一時的に格納する。
【００１９】
（ステップＳ２０３）購入画面表示部１２０３は、受信したコンテンツが画面情報のコンテンツであるか否かを判断する。例えば、受信したコンテンツのヘッダーにコンテンツの種類（ここでは、コンテンツの種類は、画面情報であるか、通常のコンテンツ（番組や映画や音楽など）である。）を示す情報が存在する。購入画面表示部１２０３は、コンテンツのヘッダーの情報を取得して、受信したコンテンツが画面情報のコンテンツであるか否かを判断する。受信したコンテンツが画面情報のコンテンツであればステップＳ２０４に行き、受信したコンテンツが画面情報のコンテンツでなければステップＳ２１３に飛ぶ。
【００２０】
（ステップＳ２０４）購入画面表示部１２０３は、ステップＳ２０３で受信した画面情報から画面を構成する。例えば、画面情報はＨＴＭＬで記述されており、購入画面表示部１２０３は、ＨＴＭＬを解釈して購入画面を構成する。
【００２１】
（ステップＳ２０５）購入画面表示部１２０３は、ステップＳ２０４で構成した購入画面を出力する。
【００２２】
（ステップＳ２０６）入力受付部１２０４は、表示されている購入画面に対して、入力があったか否かを判断する。入力がさればステップＳ２０７に行き、入力がなければステップＳ２１１に行く。なお、入力とは、商品等を購入するか否か等の情報の入力である。
【００２３】
（ステップＳ２０７）情報送信部１２０５は、ステップＳ２０６における入力に基づいて購入情報を構成する。購入情報とは、商品等の購入に必要な情報である。
【００２４】
（ステップＳ２０８）コンテンツ選択部１２０６は、先でコンテンツを選択するために、入力情報を決定し、蓄積する。入力情報とは、例えば、ある商品等を購入するか否かを示す情報である。また、入力情報は、例えば、購入する商品等の属性（大人向けや女性向けなど）や、購入量などを示す情報を含んでも良い。
【００２５】
（ステップＳ２０９）情報送信部１２０５は、入力情報が商品等を購入する、という情報であるか否かを判断する。商品等を購入する、という情報であればステップＳ２１０に行き、商品等を購入する、という情報でなければステップＳ２０１に戻る。
【００２６】
（ステップＳ２１０）情報送信部１２０５は、購入情報を外部に送信する。購入情報の送信先は、商品等の購入の決済を行う装置や、商品等の流通を行う会社の装置等である。つまり、購入情報の送信先は、購入契約がなされた後のアクションを起こす会社等の装置である。
【００２７】
（ステップＳ２１１）タイムアウトか否かを判断する。つまり、ここでは、コンテンツ出力装置１２は、一定時間だけ商品等購入のための入力を待つ、とする。タイムアウトであればステップＳ２１２に行き、タイムアウトでなければステップＳ２０６に戻る。
【００２８】
（ステップＳ２１２）コンテンツ選択部１２０６は、入力情報にディフォルト値を代入する。ディフォルト値は、通常、商品を購入しなかった旨を示す情報である。
【００２９】
（ステップＳ２１３）コンテンツ出力部１２０７は、受信したコンテンツが通常のコンテンツであるか否かを判断する。通常のコンテンツであればステップＳ２１４に行き、通常のコンテンツでなければステップＳ２０１に戻る。
【００３０】
（ステップＳ２１４）コンテンツ選択部１２０６は、入力情報が存在するか否かを判断する。入力情報が存在すればステップＳ２１５に行き、入力情報が存在しなければステップＳ２１７に飛ぶ。
【００３１】
（ステップＳ２１５）コンテンツ選択部１２０６は、入力情報に基づいてコンテンツを選択する。
（ステップＳ２１６）コンテンツ出力部１２０７は、ステップＳ２１５で選択したコンテンツを出力する。ステップＳ２０１に戻る。
【００３２】
（ステップＳ２１７）コンテンツ出力部１２０７は、受信したコンテンツを出力する。ステップＳ２０１に戻る。
なお、図２のフローチャートにおいて、電源ＯＦＦや受信終了などの割り込みにより、処理は終了する。
【００３３】
以下、本実施の形態における送受信システムの具体的な動作について説明する。まず、送受信ステムにおけるコンテンツ送信、コンテンツ選択および出力の概念図を図３に示す。図３において、コンテンツ出力装置の電源が投入され、コンテンツの視聴がスタートした、とする（図３の３０１）。次に、送信装置は、商品Ａの購入の有無を入力させるための画面情報を送信する。コンテンツ出力装置は、商品Ａの購入の有無を入力するための画面情報を受信し、商品Ａの購入の有無を入力する画面を表示する。次に、視聴者は、商品Ａの購入の意思を示す情報を入力する、とする。かかる場合、コンテンツ出力装置は、商品Ａの購入情報を外部に送信する。決済処理、および商品Ａの発注のため等である。
【００３４】
次に、送信装置は、ストーリーＡとストーリーＢを送信する、とする。次に、コンテンツ出力装置は、視聴者が商品Ａを購入するので、ストーリーＡを選択して、出力する。このストーリーＡは、例えば、商品Ａに関するストーリーである。具体的には、ストーリーＡは、トレンディードラマであり、商品Ａを購入して、良いことが起こる主人公が描かれている。なお、視聴者が商品Ａを購入しない場合は、コンテンツ出力装置は、ストーリーＢを選択し、出力する。かかる場合は、例えば、商品Ａは登場しない。
【００３５】
次に、送信装置は、商品Ｂの購入の有無を入力させるための画面情報を送信する。コンテンツ出力装置は、商品Ｂの購入の有無を入力するための画面情報を受信し、商品Ｂ購入の有無を入力する画面を表示する。次に、視聴者は、商品Ｂを購入しない旨の情報を入力する、とする。かかる場合、コンテンツ出力装置は、商品Ｂの購入情報を外部に送信しない。
【００３６】
次に、送信装置は、ストーリーＡ−１、Ａ−２、Ｂ−１、Ｂ−２を送信する、とする。次に、コンテンツ出力装置は、視聴者が商品Ｂを購入しないので、ストーリーＡ−２を選択して、出力する。なお、コンテンツ出力装置は、視聴者が「商品Ａを購入する」「商品Ｂを購入しない」、という２つの入力情報に基づいてストーリーＡ−２を選択する。
【００３７】
なお、ストーリーＢに入った場合は、コンテンツ出力装置は、商品Ｃを購入するか否かを視聴者に判断させるための画面を表示する。この商品Ｃは、例えば、商品Ａが好きでない人が、概ね購入したがる商品であることが好適である。そして、商品Ｃの購入の有無により、出力するコンテンツがストーリーＢ１であったり、ストーリーＢ２であったりする。
以上、送受信システムにおけるコンテンツの送信、コンテンツの選択と出力の概念について説明した。
【００３８】
以下、送受信システムにおける具体的な動作について説明する。図４は、コンテンツのデータ構造を示す。コンテンツは、ヘッダー部とコンテンツ部を有する。ヘッダー部は、コンテンツの各種属性であり、「種類」と「選択条件」等を有する。「種類」は、コンテンツの種類であり、ここでは、「画面情報」または「通常」の値をとり得る。「画面情報」は、コンテンツが商品等の購入画面を構成する情報でありことを示す。「通常」は、コンテンツが映画や音楽やドラマなどのコンテンツであることを示す。「選択条件」とは、コンテンツが選択され、出力されるための条件である。
【００３９】
今、コンテンツの視聴が開始されて、図５に示すコンテンツが送信された、とする。図５のコンテンツは、画面情報であり、選択条件は「−」である。選択条件「−」は、選択条件がなく、つまり、必ず出力されることを示す。コンテンツ出力装置は、図５のコンテンツを受信し、当該コンテンツの画面情報から画面を構成する。この画面例を図６に示す。図６は、商品Ａの購入を促す画面である。
【００４０】
次に、ユーザは、「購入する」ボタンを押下する、とする。次に、コンテンツ出力装置は、商品Ａの購入情報（商品識別子や視聴者のＩＤなどを含む）を構成し、外部に送信する。なお、視聴者のＩＤなどは、例えば、予めコンテンツ出力装置が保持している。以上により、視聴者が商品Ａを購入したこととなり、後日、商品Ａが視聴者の元に届けられる。コンテンツ出力装置は、入力情報「商品Ａ購入」を構成し、蓄積する。
【００４１】
次に、送信装置は、図７に示すコンテンツを送信する。次に、コンテンツ出力装置は、図７のコンテンツを受信する。次に、コンテンツ出力装置は、以前に構成した入力情報「商品Ａ購入」から「ストーリーＡ」を選択し、出力する。
【００４２】
次に、送信装置は、図８に示すコンテンツを送信する。次に、コンテンツ出力装置は、図８のコンテンツを受信する。次に、コンテンツ出力装置は、入力情報「商品Ａ購入」から「商品Ｂの購入画面の情報」を選択し、出力する。この場合の出力例は、図９である。なお、商品Ｂは、商品Ａ（ノートパソコン）用の高級バッグである。
次に、視聴者は、「購入しない」ボタンを指示する、とする。かかる場合、コンテンツ出力装置は、購入情報を送信しない。また、コンテンツ出力装置は、入力情報「商品Ｂ未購入」を蓄積する。従って、格納されている入力情報は、「商品Ａ購入；商品Ｂ未購入」である。
【００４３】
次に、送信装置は、図１０に示すコンテンツを送信する。コンテンツ出力装置は、図１０のコンテンツを受信する。次に、コンテンツ出力装置は、入力情報「商品Ａ購入；商品Ｂ未購入」からスト―リーＡ−２のコンテンツを選択し、出力する。
【００４４】
以上、本実施の形態によれば、商品等の購入の有無、購入した商品等の履歴情報に基づいて、ユーザの嗜好に合致したコンテンツを出力するコンテンツ出力装置を提供できる。このコンテンツ出力装置により、視聴者（ユーザ）は知らず知らずのうちに自分の感性に合致した内容のコンテンツを視聴できる。また、商品等の販売者は、効率的に商品等を販売できる。
【００４５】
なお、本実施の形態において、コンテンツ出力装置は、入力情報の履歴に基づいてコンテンツを選択し、出力したが、直前の一の入力情報に基づいて、コンテンツを選択し、出力しても良い。
【００４６】
また、本実施の形態において、コンテンツを一時格納するコンテンツ保持部が存在したが、コンテンツ保持部は必須ではない。つまり、コンテンツ出力装置は、コンテンツ受信部が受信したコンテンツを直接に出力等しても良い。かかる場合のコンテンツ出力装置の構成は、以下のようになる。当該コンテンツ出力装置は、２以上のコンテンツを受信するコンテンツ受信部と、商品またはサービスの購入を行うための画面を表示する購入画面表示部と、画面の表示に対する入力を受け付ける入力受付部と、入力に基づく情報を送信する情報送信部と、コンテンツ受信部が受信したコンテンツの中から、前記入力に基づいてコンテンツを選択するコンテンツ選択部と、コンテンツ選択部が選択したコンテンツを出力するコンテンツ出力部を具備する。
【００４７】
また、本実施の形態において、コンテンツは放送手段や通信手段で送信されたが、光ディスク等の記録媒体に蓄積されていても良い。かかる場合のコンテンツ出力装置は、以下のような構成となる。２以上のコンテンツを保持するコンテンツ保持部と、商品またはサービスの購入を行うための画面を表示する購入画面表示部と、画面の表示に対する入力を受け付ける入力受付部と、入力に基づく情報を送信する情報送信部と、入力に基づいて前記コンテンツ保持部からコンテンツを選択するコンテンツ選択部と、コンテンツ選択部が選択したコンテンツを出力するコンテンツ出力部を具備するコンテンツ出力装置である。
【００４８】
また、本実施の形態において、視聴者が入力した購入情報がすぐに送信装置に伝達され、送信装が当該購入情報に基づいてコンテンツを選択して、送信しても良い。かかることは、他の実施の形態においても同様である。つまり、図３の例において、視聴者の「商品Ａ購入」という情報が、コンテンツ出力装置から直接に、または間接的に送信装置に送信される。そして、送信装置は、ストーリーＡのみをコンテンツ出力装置に送信する。つまり、商品等の購入の情報に基づいて、コンテンツを選択するのは、コンテンツの受信側でも送信側でも、または他の装置でも良い。コンテンツ出力装置は、商品等の購入の情報に基づいて、出力されるコンテンツが異なれば良い。かかるコンテンツ出力装置において、視聴者（ユーザ）は知らず知らずのうちに自分の感性に合致したストーリーのコンテンツを視聴でき、商品等の販売者は効率的に商品等を販売できる。
【００４９】
さらに、本実施の形態において説明したコンテンツ出力装置、サーバ装置の動作について、ソフトウェアで実現し、当該ソフトウェアを例えば、サーバ上に置いて、ソフトウェアダウンロードにより当該ソフトウェアを配布しても良い。さらにソフトウェアをＣＤ−ＲＯＭ等の記録媒体に記録して流布しても良い。かかることは、他の実施の形態においても同様である。なお、本実施の形態において説明した電子機器をソフトウェアで実現した場合のプログラムは、コンピュータに、商品またはサービスの購入を行うための画面を表示する購入画面表示ステップと、画面の表示に対応する入力を受け付ける入力受付ステップと、入力に基づく情報を送信する情報送信ステップと、入力に基づいて、複数のコンテンツから一のコンテンツを選択するコンテンツ選択ステップと、コンテンツ選択ステップで選択したコンテンツを出力するコンテンツ出力ステップを実行させるためのプログラム、である。
【００５０】
また、本実施の形態において説明した電子機器をソフトウェアで実現した場合のプログラムは、コンピュータに、上述の購入画面表示ステップ、入力受付ステップ、コンテンツ選択ステップ、コンテンツ出力ステップを複数回繰り返し実行させるプログラム、である。
【００５１】
（実施の形態２）
図１１は、本実施の形態に係る送受信システムの概念図である。本送受信システムは、コンテンツ出力装置１１２、コンテンツ格納装置１１３、コンテンツ格納装置１１４、コンテンツ格納装置１１５・・・コンテンツ格納装置１１ｎを有する。コンテンツ格納装置（１１３から１１ｎ）は、コンテンツを格納しているサーバ装置である。コンテンツ出力装置１１２は、送信装置１１やコンテンツ格納装置（１１３から１１ｎ）からコンテンツを受信し出力する。コンテンツ出力装置１１２は、商品等の購入情報に基づいて、コンテンツを取得し、出力する。
【００５２】
図１２は、本実施の形態に係る送受信システムのブロック図である。送受信システムは、コンテンツ出力装置１１２、コンテンツ格納装置１１３を有する。通常、コンテンツ格納装置は多数存在するが、ブロック図においては、１つを代表して記述する。
【００５３】
コンテンツ出力装置１１２は、コンテンツ取得部１１２０１、購入画面表示部１１２０３、入力受付部１２０４、情報送信部１２０５、コンテンツ出力部１１２０７を有する。
コンテンツ格納装置１１３は、第二コンテンツ格納部１１３０１、第二コンテンツ送信部１１３０２を有する。
【００５４】
コンテンツ取得部１１２０１は、入力に基づいてコンテンツ格納装置１１３からコンテンツを取得する。この取得は、通常、ネットワークを利用したコンテンツの取得である。ここでのコンテンツは、購入画面を構成するための購入画面情報と、通常のコンテンツ（ドラマやプロモーションのコンテンツなど）を含む。
【００５５】
購入画面表示部１１２０３は、コンテンツ取得部１１２０１が取得した購入画面情報から購入画面を表示する。購入画面表示部１１２０３は、通常、ソフトウェアから構成されるが、ハードウェア（専用回路）で構成されても良い。なお、購入画面表示部１１２０３は、ディスプレイを含んでも、ディスプレイを含まなくても良い。ディスプレイを含まない場合は、購入画面表示部１１２０３は、外付けのディスプレイに画面を出力する。
【００５６】
コンテンツ出力部１１２０７は、コンテンツ取得部１１２０１が取得したコンテンツを出力する。出力は、通常、ディスプレイへの表示とスピーカーへの音声出力であるが、他の態様の出力でも良い。他の態様の出力とは、プリンタへの印刷、外部の装置への送信などがある。コンテンツ出力部１１２０７は、出力デバイス（ディスプレイ等）を含んでも含まなくても良い。コンテンツ出力部１１２０７は、出力デバイスのドライバーソフト等から構成される。
【００５７】
第二コンテンツ格納部１１３０１は、コンテンツを格納している。コンテンツとは、通常、動画と音声を有するストリームコンテンツである。また、商品購入の画面を構成する情報も含む。なお、コンテンツのデータ構造は問わない。さらに、コンテンツは、音楽データや静止画等でも良く、そのデータタイプも問わない。第二コンテンツ格納部１１３０１は、通常、不揮発性の記録媒体であるが、揮発性の記録媒体でも良い。
【００５８】
第二コンテンツ送信部１１３０２は、コンテンツ取得部１１２０１が要求するコンテンツを第二コンテンツ格納部１１３０１から取得し、コンテンツ出力装置１１２に送信する。第二コンテンツ送信部１１３０２は、通常、通信手段である。
【００５９】
次に、コンテンツ出力装置１１２の動作について図１３のフローチャートを用いて説明する。
（ステップＳ１３０１）コンテンツ取得部１１２０１は、コンテンツを受信したか否かを判断する。コンテンツを受信すればステップＳ１３０２に行き、コンテンツを受信しなければステップＳ１３０１に戻る。
【００６０】
（ステップＳ１３０２）コンテンツ取得部１１２０１は、ステップＳ１３０１で受信したコンテンツを一時的に格納する。
【００６１】
（ステップＳ１３０３）購入画面表示部１２０３は、受信したコンテンツが画面情報のコンテンツであるか否かを判断する。例えば、受信したコンテンツのヘッダーにコンテンツの種類（ここでは、コンテンツの種類は、画面情報であるか、通常のコンテンツ（番組や映画や音楽など）である。）を示す情報が存在する。購入画面表示部１２０３は、コンテンツのヘッダーの情報を取得して、受信したコンテンツが画面情報のコンテンツであるか否かを判断する。受信したコンテンツが画面情報のコンテンツであればステップＳ１３０４に行き、受信したコンテンツが画面情報のコンテンツでなければステップＳ１３１５に飛ぶ。
【００６２】
（ステップＳ１３０４）購入画面表示部１２０３は、ステップＳ１３０３で受信した画面情報から画面を構成する。例えば、画面情報はＨＴＭＬで記述されており、購入画面表示部１２０３は、ＨＴＭＬを解釈して購入画面を構成する。
【００６３】
（ステップＳ１３０５）購入画面表示部１２０３は、ステップＳ１３０４で構成した購入画面を出力する。
【００６４】
（ステップＳ１３０６）入力受付部１２０４は、表示されている購入画面に対して、入力があったか否かを判断する。入力がさればステップＳ１３０７に行き、入力がなければステップＳ１３１１に行く。なお、入力とは、商品等を購入するか否か等の情報の入力である。
【００６５】
（ステップＳ１３０７）情報送信部１２０５は、ステップＳ１３０６における入力に基づいて購入情報を構成する。購入情報とは、商品等の購入に必要な情報である。
【００６６】
（ステップＳ１３０８）コンテンツ取得部１１２０１は、コンテンツを検索するために、入力情報を決定し、蓄積する。入力情報とは、例えば、ある商品等を購入するか否かを示す情報であり、コンテンツ格納装置１１３に対して、コンテンツを検索するために必要な情報である。また、入力情報は、例えば、購入する商品等の属性（大人向けや女性向けなど）や、購入量などを示す情報を含んでも良い。
【００６７】
（ステップＳ１３０９）情報送信部１２０５は、入力情報が商品等を購入する、という情報であるか否かを判断する。商品等を購入する、という情報であればステップＳ１３１０に行き、商品等を購入する、という情報でなければステップＳ１３１４に行く。
【００６８】
（ステップＳ１３１０）情報送信部１２０５は、購入情報を外部に送信する。購入情報の送信先は、商品等の購入の決済を行う装置や、商品等の流通を行う会社の装置等である。つまり、購入情報の送信先は、商品の販売会社等の装置である。
【００６９】
（ステップＳ１３１１）タイムアウトか否かを判断する。つまり、ここでは、コンテンツ出力装置１２は、一定時間だけ商品等購入のための入力を待つ、とする。タイムアウトであればステップＳ１３１２に行き、タイムアウトでなければステップＳ１３０６に戻る。
【００７０】
（ステップＳ１３１２）コンテンツ取得部１１２０１は、入力情報にディフォルト値を代入する。ディフォルト値は、通常、商品を購入しなかった旨を示す情報である。
【００７１】
（ステップＳ１３１３）コンテンツ取得部１１２０１は、入力情報に基づいて検索式を構成する。検索式の形式は問わない。検索式は、例えば、予め登録されたコンテンツ格納装置（１１３等）から、コンテンツを取得するための式である。
【００７２】
（ステップＳ１３１４）コンテンツ取得部１１２０１は、ステップＳ１３１３で構成した検索式を実行する。ステップＳ１３０１に戻る。
【００７３】
（ステップＳ１３１５）コンテンツ出力部１２０７は、受信したコンテンツが通常のコンテンツであるか否かを判断する。通常のコンテンツであればステップＳ１３１６に行き、通常のコンテンツでなければステップＳ１３０１に戻る。
【００７４】
（ステップＳ１３１６）コンテンツ出力部１２０７は、コンテンツを出力する。ステップＳ１３０１に戻る。
なお、図１３のフローチャートにおいて、電源ＯＦＦや受信終了などの割り込みにより、処理は終了する。
【００７５】
以下、本実施の形態における送受信システムの具体的な動作について説明する。まず、第一の例について説明する。今、コンテンツ出力装置は、インターネット上のコンテンツ格納装置から購入画面のコンテンツを取得して、表示している、とする。その購入画面は温泉旅行のパッケージツアーの購入画面である。ここで、コンテンツ出力装置の視聴者は、「ＸＹＺ温泉」を選択し、参加人数に１６名を入力し、「購入」ボタンを押下したとする。かかる場合、「ＸＹＺ温泉」のパッケージツアーの購入が成立し、必要な情報が決済を行う装置等へ送信される。かかる処理は、インターネット上で行われている電子商取引における処理と同様である。
【００７６】
次に、コンテンツ出力装置は、「ｓｅｌｅｃｔ　ｎｅｘｔＣｏｎｔｅｎｔｓ　ｆｒｏｍ　ＸＹＺ温泉サーバ．コンテンツ格納テーブル　ｗｈｅｒｅ　参加人数＝１６名」という検索式を構成する。次に、コンテンツ格納装置は、この検索式を実行する。なお、ＸＹＺ温泉サーバは、ＸＹＺ温泉が管理するコンテンツ格納装置（サーバ装置）であり、温泉紹介のコンテンツや、購入して欲しいオプショナルツアーの購入画面などを格納している。
【００７７】
次に、ＸＹＺ温泉サーバは、上記の検索式を受信し、サーバが保持しているコンテンツ格納テーブルから参加人数が１６名であることに合致するコンテンツを選択する。例えば、１６名で行えるカラオケやボーリングなどのオプション企画を楽しんでいる団体の映像を有するコンテンツを選択する。そして、ＸＹＺ温泉サーバは、コンテンツ出力装置に、選択したコンテンツを送信する。次に、コンテンツ出力装置は、カラオケやボーリングなどのオプション企画を楽しんでいる団体の映像を有するコンテンツを受信し、出力する（図１５参照）。
【００７８】
次に、ＸＹＺ温泉サーバは、カラオケやボーリングなどのオプション企画の予約申し込みの購入画面のコンテンツを選択し、コンテンツ出力装置に送信する。コンテンツ出力装置は、購入画面情報を受信し、購入画面を出力する。購入画面の例は、図１６である。
【００７９】
次に、視聴者は、必要な情報を入力し、「カラオケ」を選択する。そして、「購入」ボタンを押下する。次に、「ＸＹＺ温泉」の「カラオケ」予約を行うための情報がＸＹＺサーバ装置に送信され、カラオケルームの予約が成立する。
【００８０】
次に、コンテンツ出力装置は、「カラオケ」という検索式を構成し、実行する。つまり、コンテンツ出力装置は、最近のカラオケで流行っている曲を検索する。コンテンツ出力装置は、順次、最近のカラオケで流行っている曲を受信する。そして、コンテンツ出力装置は、ある曲を出力した後、その曲を購入するか否かを問い合わせる画面情報を受信し、出力する。以上のように、音楽の出力、購入画面の出力を、曲ごとに繰り返す。
【００８１】
また、コンテンツ出力装置は、視聴者が購入する、とした曲に関する情報（ジャンルや歌手名）を蓄積する。そして、多数のコンテンツ格納装置から送信されてきた音楽と購入画面を、蓄積した曲に関する情報（入力情報）に基づいて選択して、出力する。かかる場合、視聴者の好みに合致したコンテンツを出力でき、音楽を販売する側にとっても好都合である。なお、コンテンツ出力装置において、出力するコンテンツを選択する仕組みについては、実施の形態１で説明した処理と同様である。
【００８２】
上記の処理は、具体的には、以下のような処理になる。例えば、視聴者は、歌手ＡのＢという曲を購入したとする。曲Ｂのジャンルは演歌である、とする。次に、コンテンツ出力装置は、歌手Ａの曲Ｂを聴いている間に、「歌手Ｚの曲Ｙ（ジャンル：歌謡曲）」「歌手Ａの曲Ｃ（ジャンル：演歌）」「歌手Ｔの曲Ｍ（ジャンル：演歌）」の３曲を受信したとする。
【００８３】
次に、コンテンツ出力装置は、視聴者が購入する可能性の高い曲から選択して、出力する。つまり、「歌手Ａの曲Ｃ（ジャンル：演歌）」、「歌手Ｔの曲Ｍ（ジャンル：演歌）」、「歌手Ｚの曲Ｙ（ジャンル：歌謡曲）」の順に出力し、それぞれの曲を購入するか否かを問い合わせる購入画面も出力する。購入画面は、曲の情報の後に送信される、とする。
【００８４】
次に、第二の例について説明する。第二の例は、ハイブリッド型のＰ２Ｐモデルによりコンテンツを送受信するモデルである。このモデルの概念図を図１７に示す。つまり、本モデルの送受信システムは、コンテンツ出力装置１７１、セントラルポイント１７２、複数のコンテンツ格納装置１７３１から１７３ｎを有する。コンテンツ格納装置１７３１から１７３ｎは、コンテンツを格納するサーバ装置であり、各地域に設置されているサーバ装置である。セントラルポイント１７２は、コンテンツを識別する情報とコンテンツが所在する情報であるロケーション情報（具体的には、コンテンツ格納装置のＵＲＬやＩＰアドレス等）を管理する情報処理装置である。
【００８５】
セントラルポイント１７２は、コンテンツ出力装置１７１からの入力情報（購入画面で商品を購入するか未購入かを示す情報や、購入した商品等を示す情報など）を受け取り、次にコンテンツ出力装置１７１に出力されるべきコンテンツが存在する場所を示すロケーション情報を検索し、当該ロケーション情報をコンテンツ出力装置１７１に送信する。
【００８６】
コンテンツ出力装置１７１は、ロケーション情報を受信し、当該ロケーション情報に基づいて、コンテンツ格納装置１７３１から１７３ｎからコンテンツを取得する。
【００８７】
具体的には、コンテンツ出力装置１７１は、図１４の購入画面からＸＹＺ温泉のツアーを購入した、とする。かかる場合、コンテンツ出力装置１７１からＸＹＺ温泉のツアーを購入した旨の情報がセントラルポイント１７２に送信される。
【００８８】
次に、セントラルポイント１７２はＸＹＺ温泉のツアーを購入した旨の情報を受信し、「ＸＹＺ温泉殺人事件（前編）」のドラマのコンテンツが存在するコンテンツ格納装置のロケーション情報を取得し、当該ロケーション情報をコンテンツ出力装置１７１に送信する。
【００８９】
次に、コンテンツ出力装置１７１は、「ＸＹＺ温泉殺人事件（前編）」のドラマのコンテンツが存在する装置やフォルダ等を示すロケーション情報を受信し、当該ロケーション情報に基づいて、「ＸＹＺ温泉殺人事件（前編）」のドラマのコンテンツをコンテンツ格納装置から取得する。そして、「ＸＹＺ温泉殺人事件（前編）」のドラマを出力する。
【００９０】
次に、「ＸＹＺ温泉殺人事件（前編）」のドラマコンテンツの最後に、図１８に示す購入画面を構成する情報が貼付されている、とする。そして、コンテンツ出力装置１７１は、図１８の図１８に示す購入画面を表示する。
【００９１】
次に、視聴者は、２つのかばんのうち「ブダラのカバン」を購入する、として、「ブダラのカバン」の下に存在する「購入」ボタンを押下する。そして、コンテンツ出力装置１７１は、「ブダラのカバン」を購入した旨を示す情報をセントラルポイント１７２に送信する。次に、セントラルポイント１７２は、「ブダラのカバン」を購入した旨を示す情報を受信し、「ブダラのカバン」ではなく、「ヘルメスのカバン」を持っている人が犯人である「ＸＹＺ温泉殺人事件（後編）」のコンテンツが存在する場所を示すロケーション情報を取得する。自分の好きなカバンを持っている人を犯人としないドラマのストーリーを選択したことになる。そして、セントラルポイント１７２は、当該ロケーション情報をコンテンツ出力装置１７１に送信する。
【００９２】
次に、コンテンツ出力装置１７１は、当該ロケーション情報を受信し、当該ロケーション情報に基づいて「ヘルメスのカバン」を持っている人が犯人である「ＸＹＺ温泉殺人事件（後編）」をコンテンツ格納装置から取得する。そして、そのコンテンツを出力する。
【００９３】
以上、本実施の形態によれば、商品等の購入の有無、購入した商品等の履歴情報に基づいて、ユーザの嗜好に合致したコンテンツを出力するコンテンツ出力装置を提供できる。特に、コンテンツがドラマである場合などは、購入画面における入力とドラマのストーリーが有機的に結合しているコンテンツを提供できる。そして、本実施の形態によれば、コンテンツは、ビアツーピアで取得され得る。また、例えば、インターネット上の非常に多くのコンテンツを利用したサービスが提供できる。また、このコンテンツ出力装置により、視聴者（ユーザ）は知らず知らずのうちに自分の感性に合致した内容のコンテンツを視聴できる。さらに、商品等の販売者は、効率的に商品等を販売できる。
【００９４】
なお、本実施の形態において、コンテンツ出力装置は、直前の一の入力情報に基づいてコンテンツを検索したが、複数の入力情報の履歴に基づいてコンテンツを検索しても良い。
【００９５】
また、本実施の形態において、コンテンツは通信手段で送信されたが、放送手段により送信されても良いし、コンテンツは光ディスク等の記録媒体に蓄積されていても良い。つまり、本実施の形態において、例えば、コンテンツ出力装置は、放送を受信するチューナー等と通信手段を有し、購入画面を放送で受信し、コンテンツ（ドラマや温泉紹介コンテンツなど）を１以上のコンテンツ格納装置から検索するなどの構成をとっても良い。
【００９６】
また、本実施の形態において、ハイブリッド型のＰ２Ｐモデルによるコンテンツ送受信の例を示したが、かかるコンテンツ送受信においてピュア型のＰ２Ｐで実現しても良い。また、ハイブリッド型のＰ２Ｐモデルにおいて、セントラルポイント１７２からコンテンツ出力装置１７１にロケーション情報を送信したが、セントラルポイント１７２が出力されるべきコンテンツを有するコンテンツ格納装置に、当該コンテンツをコンテンツ出力装置１７１に送信するように指示しても良い。
【００９７】
また、本実施の形態において、コンテンツ出力装置１７１は「ブダラのカバン」を購入した旨を示す情報により、「ヘルメスのカバン」を持った人が犯人となる「ＸＹＺ温泉殺人事件（後編）」を取得し、出力した。つまり、かかる場合のコンテンツ出力装置は、入力受付部が商品またはサービスを購入するとの入力を受け付けた場合に、コンテンツ取得部は、購入画面情報が有するコンテンツを特定するコンテンツ特定情報により、外部の装置からコンテンツを検索するコンテンツ出力装置である。ここでのコンテンツ特定情報とは、「ブダラのカバン」または／および「購入」というボタンの文字が該当する。
【００９８】
さらに、本実施の形態において、コンテンツ格納装置は、コンテンツ出力装置から見て、外部の装置であれば良い。かかる場合、コンテンツ出力装置は、以下のような構成になる。つまり、購入画面情報またはコンテンツを取得するコンテンツ取得部と、購入画面情報から購入画面を表示する購入画面表示部と、購入画面の表示に対する入力を受け付ける入力受付部と、入力に基づく情報を送信する情報送信部と、コンテンツ取得部が取得したコンテンツを出力するコンテンツ出力部を具備するコンテンツ出力装置であって、コンテンツ取得部は、入力に基づいてコンテンツ取得部が外部の装置からコンテンツを検索するコンテンツ出力装置、である。
【発明の効果】
以上のように、本発明によれば、視聴者は知らず知らずのうちに自分の感性に合致したコンテンツを視聴でき、商品等の販売者は効率的に商品等を販売できる。
【図面の簡単な説明】
【図１】実施の形態１における送受信システムのブロック図
【図２】実施の形態１におけるコンテンツ出力装置の動作を説明するフローチャート
【図３】実施の形態１におけるコンテンツの選択と出力の概念を説明する図
【図４】実施の形態１におけるコンテンツのデータ構造を示す図
【図５】実施の形態１におけるコンテンツのデータ例を示す図
【図６】実施の形態１における商品購入画面の例を示す図
【図７】実施の形態１におけるコンテンツのデータ例を示す図
【図８】実施の形態１におけるコンテンツのデータ例を示す図
【図９】実施の形態１における商品購入画面の例を示す図
【図１０】実施の形態１におけるコンテンツのデータ例を示す図
【図１１】実施の形態２における送受信システムの概念図
【図１２】実施の形態２における送受信システムのブロック図
【図１３】実施の形態２におけるコンテンツ出力装置の動作を説明するフローチャート
【図１４】実施の形態２におけるコンテンツのデータ例を示す図
【図１５】実施の形態２におけるコンテンツのデータ例を示す図
【図１６】実施の形態２におけるコンテンツのデータ例を示す図
【図１７】実施の形態２における送受信システムの概念図
【図１８】実施の形態２における商品購入画面の例を示す図
【符号の説明】
１１　送信装置
１２、１１２　コンテンツ出力装置
１１３　コンテンツ格納装置
１１０１　コンテンツ格納部
１１０２　コンテンツ送信部
１２０１　コンテンツ受信部
１２０２　コンテンツ保持部
１２０３、１１２０３　購入画面表示部
１２０４　入力受付部
１２０５　情報送信部
１２０６　コンテンツ選択部
１２０７、１１２０７　コンテンツ出力部
１１２０１　コンテンツ取得部
１１３０１　第二コンテンツ格納部
１１３０２　第二コンテンツ送信部
【図１】
2004070700.tif 000003
【図２】
2004070700.tif 000004
【図３】
2004070700.tif 000005
【図４】
2004070700.tif 000006
【図５】
2004070700.tif 000007
【図６】
2004070700.tif 000008
【図７】
2004070700.tif 000009
【図８】
2004070700.tif 000010
【図９】
2004070700.tif 000011
【図１０】
2004070700.tif 000012
【図１１】
2004070700.tif 000013
【図１２】
2004070700.tif 000014
【図１３】
2004070700.tif 000015
【図１４】
2004070700.tif 000016
【図１５】
2004070700.tif 000017
【図１６】
2004070700.tif 000018
【図１７】
2004070700.tif 000019
【図１８】
2004070700.tif 000020